(57)【要約】【課題】立体的な重なりと態様を有する立体ブラインドの提供。【解決手段】可動フレームとブラインド本体を包含し、該可動フレームは上梁の軌道に組み合わされた二つの牽引スライド間に取り付けられ、そのうち該可動フレームは少なくとも二つ以上の接続片が枢接されて構成され、該ブラインド本体が掛設られ、並びに引張り素子の牽引が組み合わされて、折り畳み、展開の動作を行い、これによりブラインド本体が展開或いは折り畳まれて可動フレームと同じ形態とされ、立体効果を達成する。【選択図】図４
0003137618.tif 000002
【実用新案登録請求の範囲】
【請求項１】
立体ブラインドにおいて、該立体ブラインドは可動フレームとブラインド本体を包含し、該可動フレームは上梁の軌道に組み合わされた二つの牽引スライド間に取り付けられ、並びに引張り素子の牽引を受けて、折り畳み、展開の動作を行い、
該可動フレームは少なくとも２片の接続片が枢接されてなり、該接続片の両端に第１枢接機構と第２枢接機構が設けられ、この第１枢接機構と第２枢接機構により隣り合う二つの接続片間が相互に係合されて可動ジョイントが形成され、且つ該可動フレーム中の少なくとも二つの対応する接続片にそれぞれ挟持固定部が設けられて該牽引スライドの挟持固定に供され、各接続片に少なくとも一つの第１固定素子が設けられ、
該ブラインド本体は、その上部に少なくとも一つの第２固定素子が設けられて該第１固定素子と接続されて該ブラインド本体の掛設に供されることを特徴とする、立体ブラインド。
【請求項２】
請求項１記載の立体ブラインドにおいて、該可動フレームの上方に照明装置が設けられたことを特徴とする、立体ブラインド。
【請求項３】
請求項１記載の立体ブラインドにおいて、該挟持固定部が貫通孔とされたことを特徴とする、立体ブラインド。
【請求項４】
請求項１記載の立体ブラインドにおいて、該第１固定素子がフックとされたことを特徴とする、立体ブラインド。
【請求項５】
請求項１記載の立体ブラインドにおいて、該第２固定素子が貫通孔とされたことを特徴とする、立体ブラインド。
【請求項６】
請求項１記載の立体ブラインドにおいて、該可動ジョイントは、第１枢接機構の少なくとも一つのリブと少なくとも一つの凹溝が隣接する接続片の第２枢接機構の少なくとも一つの凹溝及び少なくとも一つのリブにそれぞれ組み合わされ、さらに、ピンが各リブの貫通孔に挿入されて、折り畳み軸とされて構成されることを特徴とする、立体ブラインド。
【考案の詳細な説明】
【技術分野】
【０００１】
本考案は一種の立体ブラインドの構造に係り、特に、立体的重なりと形態を有する立体ブラインドの構造であって、ブラインドの使用効果を高める構造に関する。
【背景技術】
【０００２】
図１、２は周知の一般のブラインド１、２の構造表示図である。それは簡単で且つ実用的な効果を有し、異なる材質及び模様が組み合わされることで、美観効果を増して、室内全体の配置と色調に合わせることができる。
【考案の開示】
【考案が解決しようとする課題】
【０００３】
しかし、上述の周知の一般のブラインド１、２の発展は、早期の単純な遮蔽の要求を満たすものから、次第にインテリアの重要な一環となっており、それは模様或いは色彩を変更してその美観を増すことができるとはいえ、その構造は単純な平面を現出できるだけであり、立体的な視角効果と重なりを表現することはできない。
【０００４】
ゆえに本考案の目的は、重なりにより立体を現出することができる一種の立体ブラインドを提供することにある。
【課題を解決するための手段】
【０００５】
本考案は可動フレームとブラインド本体を包含し、該可動フレームは上梁の軌道に取り付けられた二つの牽引スライド間に取り付けられ、並びに引張り素子の牽引を受けて、折り畳み、展開の動作を行う。
【０００６】
該可動フレームは少なくとも２片の接続片が枢接されてなり、該接続片の両端に第１枢接機構と第２枢接機構が設けられ、隣り合う二つの接続片間が相互に係合されて可動ジョイントが形成され、且つ該可動フレーム中の少なくとも二つの対応する接続片にそれぞれ挟持固定部が設けられて該牽引スライドの挟持固定に供され、各接続片に少なくとも一つの第１固定素子が設けられる。
【０００７】
該ブラインド本体は、その上部に少なくとも一つの第２固定素子が設けられて該第１固定素子と接続されて該ブラインド本体の掛設に供される。
【０００８】
上述の第１固定素子はフックとされる。
【０００９】
上述の第２固定素子は貫通孔とされる。
【考案の効果】
【００１０】
本考案は一種の立体ブラインドを提供し、それは、立体的重なりと形態を有する立体ブラインドであって、ブラインドの使用効果を高めることができる。
【考案を実施するための最良の形態】
【００１１】
図３、４、５、６に示されるように、本考案の立体ブラインドは、可動フレーム３とブラインド本体４を包含する。該可動フレーム３は上梁５１の軌道５１２に組み合わされた二つの牽引スライド５３の間に取り付けられ、並びに引張り素子５２の牽引を受けて折り畳み、展開動作する。
【００１２】
該可動フレーム３は少なくとも２片の接続片３１が枢接されてなり、該接続片３１の両端に第１枢接機構Ａと第２枢接機構Ｂが設けられ、隣り合う二つの該接続片３１間が相互に係合されて可動ジョイントＣが形成され、且つ該可動フレーム３中の少なくとも二つの対応する接続片３１にそれぞれ挟持固定部３１１が設けられて該牽引スライド５３の挟持固定に供され、各接続片３１に少なくとも一つの第１固定素子３１２が設けられる。
【００１３】
該ブラインド本体４は、その上部４１に少なくとも一つの第２固定素子４１１が設けられて該第１固定素子３１２と接続されて該ブラインド本体４の掛設に供される。
【００１４】
上述の本考案の牽引スライド５３はその両側に少なくとも一つのプーリ５３１が設けられ、該プーリ５３１が上梁５１の軌道５１２に組み合わされ、該牽引スライド５３が上梁５１においてスライド自在とされ、その下方に更に挟持部５３２が設けられ、該挟持部５３２は該上梁５１の開口５１１より突出し、該挟持部５３２の両側それぞれに位置制限リブ５３３が設けられている。
【００１５】
上述の本考案の引張り素子５２は、ビーズチェーン或いはロープとされ、それは該牽引スライド５３に接続されて、使用者が該牽引スライド５３を引っ張り、該ブラインド本体４を折り畳み、或いは展開する操作を行うのに供される。
【００１６】
上述の本考案の可動ジョイントＣは、第１枢接機構Ａの少なくとも一つのリブＡ１と少なくとも一つの凹溝Ａ２が隣接する接続片３１の第２枢接機構Ｂの少なくとも一つの凹溝Ｂ２及び少なくとも一つのリブＢ１にそれぞれ組み合わされ、さらに、ピン３２が各リブＡ１、Ｂ１の貫通孔Ａ１１、Ｂ１１に挿入されて、折り畳み軸とされる（図７の如し）。
【００１７】
上述の部品の構成により、本考案の展開時には、図８、図１０に示されるように、使用者は引張り素子５２を引っ張り、上梁５１中の牽引スライド５３を駆動し、これにより複数の接続片３１で構成された閉じた形態の可動フレーム３に完全展開の形態を現出させることができ、該可動フレーム３に係合されたブラインド本体４は、その可動フレーム３の外形変化により、立体的な重なりの形態を現出する。反対に使用者が立体ブラインドを折り畳みたい時は、引張り素子５２を反対方向に引っ張り、上梁５１中の牽引スライド５３を駆動してその可動フレーム３の各接続片３１を、可動ジョイントＣを中心とし、並びに自由に折り曲げて内縮させ（図９）、該可動フレーム３を変形させ体積を縮小させる。ただし該立体ブラインドは別の形態の立体外形を保持でき、該可動フレーム３の係合するブラインド本体４はその位置により変形し、別の立体的な重なり形態を現出する。
【００１８】
図１１を参照されたい。本考案の装飾効果を増すために、上梁５１の一側に少なくとも一つの照明装置６を設けることができ、照明装置６がオンされる時、その光線はブラインド本体４の上方より下向きに投射され、該ブラインド本体４にセードに類似の効果を発生させ、これにより本考案の美観とその使用効果がアップする。
【図面の簡単な説明】
【００１９】
【図１】周知のブラインドの表示図である。
【図２】別の周知のブラインドの表示図である。
【図３】本考案の立体図である。
【図４】本考案の立体分解図である。
【図５】本考案中、可動フレームの立体図である。
【図６】本考案の局部組合せ断面図である。
【図７】本考案中、可動ジョイントの局部断面図である。
【図８】本考案中、可動フレームの展開表示図である。
【図９】本考案中、可動フレームの折り畳み表示図である。
【図１０】本考案の実施例表示図である。
【図１１】本考案の別の実施例表示図である。
【符号の説明】
【００２０】
１、２  ブラインド
３  可動フレーム                ４  ブラインド本体
５１  上梁                      ５１２  軌道
５３  牽引スライド              ５２  引張り素子
３１  接続片                    Ａ  第１枢接機構
Ｂ  第２枢接機構                Ｃ  可動ジョイント
３１１  挟持固定部              ３１２  第１固定素子
４１  上部                      ４１１  第２固定素子
５３１  プーリ                  ５１１  開口
５３２  挟持部                  ５３３  位置制限リブ
Ａ１、Ｂ１  リブ                Ａ２、Ｂ２  凹溝
３２  ピン                      Ａ１１、Ｂ１１  貫通孔
６  照明装置
【図１】
0003137618.tif 000003
【図２】
0003137618.tif 000004
【図３】
0003137618.tif 000005
【図４】
0003137618.tif 000006
【図５】
0003137618.tif 000007
【図６】
0003137618.tif 000008
【図７】
0003137618.tif 000009
【図８】
0003137618.tif 000010
【図９】
0003137618.tif 000011
【図１０】
0003137618.tif 000012
【図１１】
0003137618.tif 000013